(57)【要約】【課題】複数のケーブルを使用して接続する機器の保守において、ケーブルの変更や接続場所の確認を行うには、「相手先ラベル」または「ケーブル接続表」等を見ながら保守員が作業を行うのが一般的であり、誤接続を検出するには、目視によるチェックを行うか、ケーブルテスタを使用するか、あるいは接続する機器の診断機能を実行する必要があった。保守員が誤ってケーブルのコネクタを抜き差しすることを未然に防止することにある【解決手段】ケーブル（１）の一端にあるコネクタ（２１）にＬＥＤ（３）を設け、ケーブルの反対側にあるコネクタ（２２）にスイッチ（７）を設けることにより、スイッチ（７）のＯＮあるいはＯＦＦによりＬＥＤ（３）の点灯あるいは消灯を確認し、ケーブルの両端が明確になることにより、ケーブルの保守性を改善することを特徴とする。【選択図】図１
2008192583.tif 000002
【特許請求の範囲】
【請求項１】
（イ）ケーブルのコネクタ部分にＬＥＤを設ける。
（ロ）ＬＥＤを設けたコネクタ内の電源端子に接続する。
（ハ）ＬＥＤを設けたコネクタの反対側のケーブルにスイッチを設ける。
（ニ）ＬＥＤとケーブル内の予備あるいは未使用の信号線を接続する。
以上の構成よりなるコネクタ
【請求項２】
コネクタ端子より供給される電源の電圧がＬＥＤ許容範囲を上回る場合に、ＬＥＤとコネクタ内の電源端子の接続に保護抵抗を使用することを特徴とする「請求項１」のコネクタ
【請求項３】
（イ）ケーブルのコネクタ部分にスイッチを設ける。
（ニ）スイッチをケーブル内の予備あるいは未使用の信号線に接続する。
（ホ）スイッチのもう一方をケーブル内の電源端子に接続する。
以上の構成よりなるコネクタ
【請求項４】
コネクタ端子より供給される電源の電圧がＬＥＤ許容範囲を上回る場合に、スイッチとコネクタ内の電源端子の接続に保護抵抗を使用することを特徴とする「請求項３」のコネクタ
【請求項５】
ＬＥＤがコネクタ部分の陵の部分に設置されていることを特徴とする「請求項１」あるいは「請求項２」のコネクタ
【請求項６】
ケーブルの片側が、機器の中に埋まっていて容易にケーブルとその機器を分離できない場合で、且つその機器が「請求項３」のコネクタと同等の機能を有するかあるいは「請求項１」で設けたＬＥＤを点灯させるのに十分な電力を供給できる場合のケーブルの反対側に接続される「請求項１」のコネクタ
【発明の詳細な説明】
【技術分野】
【０００１】この発明は、ケーブルの両端のコネクタのうち、片側あるいは両側が機器に接続されている状態で、一端のコネクタからケーブルの反対側のコネクタを識別することを可能にするＬＥＤ確認コネクタに関するものである。
【背景技術】
【０００２】従来、ケーブルが接続する距離が長いあるいは複数のケーブルが近くに集められている場合に、反対側のケーブルの端が何処にあるのかを判断するには、ケーブルテスタをケーブルの端に接続するか、ケーブルの色で判断する必要があった。それに加え確認した内容は、「相手先ラベル」または「ケーブル接続表」の形で記録する必要があった。
【発明の開示】
【発明が解決しようとする課題】
【０００３】これは、次のような欠点があった。
（イ）ケーブルテスタを使用した場合は、ケーブルは、本来の目的で信号を流すことが出来ない。
（ロ）ケーブル色を使う方法は、扱うケーブルの本数が多くなると沢山の種類の色のケーブルを用意する必要があるなどの欠点がある。
（ハ）「相手先ラベル」または「ケーブル接続表」を使う方法は、準備に手間がかかるだけではなく、手作業であるため誤認の可能性がある。
本発明は、以上のような欠点をなくすためになされたものである。
【課題が解決するための手段】
【０００４】ケーブル内に使用されていない予備の信号線（５）を用意する。
ケーブル（１）の一端にあるコネクタ（２１）にＬＥＤ（３）を設け、ＬＥＤの片側（３１）をコネクタ内でケーブル（１）と配線されている電源端子（４１）に接続する。ＬＥＤの反対側（３２）をケーブル内の予備の信号線（５）に接続する。
ケーブルの反対側になるコネクタ（２２）にスイッチ（７）を設け、スイッチの片側（７１）をコネクタ（２２）内でケーブル（１）と配線されている電源端子（４２）に接続する。スイッチの反対側の端子（７２）をＬＥＤ（３）に接続する信号線（５）に接続する。
本発明は、以上の構成よりなるＬＥＤ確認コネクタである。
【発明の効果】
【０００５】コネクタに確認用のＬＥＤが付いているので、反対側でスイッチをＯＮあるいはＯＦＦにするとＬＥＤがそれに連動して点灯あるいは消灯する。複数のケーブルがある場合でも、何処に接続されているのかが、コネクタにあるスイッチをＯＮあるいはＯＦＦにすることで、ＬＥＤの発光の変化を見て確認することが出来る。
ＬＥＤがコネクタに内蔵されているため、コネクタを接続機器から外す必要がなく、ケーブルを使用して接続機器が稼動している場合でも支障なくケーブルを確認することが出来る。ＬＥＤが点灯するための電源（交流電源あるいは直流電源）は、コネクタ内で調達するためケーブルの両端あるいは片側のコネクタが接続されている場合は、ＬＥＤを使ったケーブルの識別が可能である。
【発明を実施するための最良の形態】
【０００６】以下、本発明を実施するための最良の形態について説明する。
コネクタ（２１）の内部の電源端子（４１）にＬＥＤ（３）が点灯可能な向きでＬＥＤの片側（３１）を半田付けで固定する。ＬＥＤ（３）は、コネクタを接続している状態でも視認できるように、ケーブル側に発光部分を向けて固定する。ＬＥＤ（３）の反対側（３２）をケーブル（１）内の予備の信号線（５）に直接あるいは半田付けパッド（５０）を経由して半田付けする。残りの信号線を必要に応じてコネクタ（２１）内部で端子に配線をして、透明な樹脂で封入する。
前述のコネクタ（２１）とは、ケーブルの反対側になるコネクタ（２２）にスイッチ（７）を設け、スイッチの片側（７１）をコネクタ（２２）内でケーブル（１）の信号線（５）と配線されている電源端子（４２）に半田付けする。スイッチ（７）の反対側の端子（７２）は、保護抵抗（９９）を経由して信号線（５）に半田付けする。残りの信号線を必要に応じてコネクタ（２２）の端子に配線をして、透明な樹脂で封入する。
コネクタ（２１）の内部の電源端子（４１）は、コネクタ（２２）の内部の電源端子（４２）とは、極が違うようにし、その中間にあるＬＥＤ（３）が点灯可能なように極を選択する。半田付けパッド（５０）が存在しないコネクタの場合は、信号線未使用ピン本発明は、以上のような構造である。
これを使用するときは、ケーブルに電源が供給されるようにケーブルの片側あるいは両方を機器に接続して、コネクタ（２２）のスイッチ（７）を押すことにより反対側のコネクタ（２１）位置がＬＥＤ（３）の点灯あるいは消灯により視認できる。
【図面の簡単な説明】
【０００７】
【図１】本発明によりコネクタ配線に追加される配線図である。
【図２】本発明の例を示している。
【符号の説明】
【０００８】１        ケーブル
２１      コネクタ（ＬＥＤ側）
２２      コネクタ（スイッチ側）
３        ＬＥＤ
３１      ＬＥＤの端子
３２      ＬＥＤの端子
４１      電源端子
４２      電源端子（４１と対）
４８      コネクタ端子を固定する絶縁体
４９      コネクタの端子
５        予備の信号線
５０      半田付けパッド
５９      電力線
７        スイッチ
７１      スイッチの端子
７２      スイッチの端子
【図１】
2008192583.tif 000003
【図２】
2008192583.tif 000004